(57)【特許請求の範囲】
【請求項１】
ムーブメントの上方にソーラーセルを配置、且つ、前記ソーラーセルの上方に該ソーラーセルの発電に寄与する波長域の光を透過する光透過性の表示板を配置した腕時計において、
前記表示板は金属製の文字板であって該表示板には光を透過するための貫通孔が形成され、指針軸を除いて前記ソーラーセルのほぼ全面を覆うものであり、また、前記ソーラーセルと前記表示板との間には前記表示板が前記ソーラーセルに接触することを防ぐための接触防止板が配置され、該接触防止板は前記ソーラーセルの発電に寄与する波長域の光を透過する光透過性であると共に前記表示板より軟質の部材である合成樹脂性にて出来ていて前記表示板同様に指針軸を除いて前記ソーラーセルのほぼ全面を覆うものであって、
更に前記表示板が載置される固定枠を有し該固定枠には前記表示板と共に前記接触防止板が前記ソーラーセルと隙間を持って取り付ける取り付け部が形成されている、ことを特徴とする表示板構造。
【請求項２】
前記接触防止板には前記表示板の貫通孔に対向する貫通する孔を有することを特徴とする請求項１に記載の表示板構造。
【請求項３】
前記表示板の下面に、前記接触防止板が貼着されている事を特徴とする請求項１に記載の表示板構造。
【請求項４】
前記接触防止板が有色であることを特徴とする請求項１から３のいずれか１項に記載の表示板構造。
【請求項５】
前記接触防止板が発光機能を備えることを特徴とする請求項１から３のいずれか１項に記載の表示板構造。
【請求項６】
前記接触防止板の表面に有色層が形成されていることを特徴とする請求項１から３のいずれか１項に記載の表示板構造。
【請求項７】
前記接触防止板の外縁より突出する突部と、前記固定枠に形成された凹部とが係合することを特徴とする請求項１に記載の表示板構造。
【発明の詳細な説明】
【０００１】
【発明の属する技術分野】
本発明は、ソーラーセルを有する腕時計の表示板に関するものである。
【０００２】
【従来の技術】
図１７は、ソーラーセルを有する従来の腕時計の時計内部構成部の分解斜視図、図１８は断面図である。
図１８に示すように、腕時計ケースは下胴１と上胴２とよりなる。
内部構成部は、ムーブメント３、ソーラーセル４、環状固定枠５、及び表示板６とよりなる。
【０００３】
ムーブメント３の上に、ソーラーセル４が載せられ、ムーブメント３上の突起７にソーラーセルの凹部８を係合させて位置決めされる。次に固定枠５より下垂する三個のフック１０を、ソーラーセル４の凹部１１及びムーブメント３の外方に突出するフランジに切り欠けられた凹部１２に挿入する。フック１０は、ムーブメント３のフランジにおける凹部１２の内方に引っかかる。よって、固定枠５とムーブメント３との間にソーラーセル４が挟持される。固定枠５によって組み合わされたムーブメント及びソーラーセルをケースの下胴１に挿入し、フック１０は下胴１の肩部１３上に載せられる。
次に、固定枠５の上面に形成された二個所の凹部１４に金属製の表示板６の突起１６を嵌めて表示板を固定枠上に取付ける。更に指針１７を取付け、上胴２、風防１８を夫々パッキン２０、２１を介して取付けて腕時計が構成されている。表示板６には光を透過させる多数の孔２２が形成されている。
表示板６は固定枠５の凹部１４の下部の厚さだけソーラーセルより離され、之に当たらないように支持されている。
【０００４】
【発明が解決しようとする課題】
しかしながら、外部より過大な衝撃が加えられると、例えば風防１８に軸方向の衝撃が加えられると、表示板６が変位したり撓んだりして、ソーラーセル４と接触して、表示板がソーラーセルを傷つけることがある。特に表示板が外光を通過させるための孔を有する金属板の場合、ソーラーセルが割れることがある。
本発明の目的は、表示板によるソーラーセルの破損を生ずることのない表示板を提供するにある。
【０００５】
【課題を解決するための手段】
請求項１による発明は、ムーブメントの上方にソーラーセルを配置、且つ、前記ソーラーセルの上方に該ソーラーセルの発電に寄与する波長域の光を透過する光透過性の表示板
を配置した腕時計において、前記表示板は金属製の文字板であって該表示板には光を透過するための貫通孔が形成され、指針軸を除いて前記ソーラーセルのほぼ全面を覆うものであり、また、前記ソーラーセルと前記表示板との間には前記表示板が前記ソーラーセルに接触することを防ぐための接触防止板が配置され、該接触防止板は前記ソーラーセルの発電に寄与する波長域の光を透過する光透過性であると共に前記表示板より軟質の部材である合成樹脂性にて出来ていて前記表示板同様に指針軸を除いて前記ソーラーセルのほぼ全面を覆うものであって、更に前記表示板が載置される固定枠を有し該固定枠には前記表示板と共に前記接触防止板が前記ソーラーセルと隙間を持って取り付ける取り付け部が形成されている、ことを特徴とする。
この構成により、表示板との接触によるソーラーセルの損傷を防ぐことができること、また接触防止板が介在してもソーラーセルの発電を妨げないこと、更には接触防止板がソーラーセルに接触してもソーラーセルが傷ついたり割れたりしない効果を奏する。
【０００８】
請求項２の発明は、前記接触防止板には前記表示板の貫通孔に対向する貫通する孔を有することを特徴とする。
２つの貫通孔を通して外光がソーラーセルに到達するので接触防止板がソーラーセルへの外光の到達を妨げない。
また、接触防止板に干渉縞が表出しても表示板の貫通孔から観視されないので、表示板の概観の悪化を防ぐことができる。
【０００９】
請求項３による発明は、表示板の下面に、接触防止板が貼着されている事を特徴とする。
負荷された衝撃により、接触防止板が変位して外れたり、捩れて塑性変形したりする危険を排除できる。また、組み立てが容易になる。
【００１０】
請求項４による発明は、接触防止板が有色であることを特徴とする。
表示板の外観に、様々な色調を付与することができる。
【００１１】
請求項５による発明は、接触防止板が発光機能を備えることを特徴とする。
表示板に発光機能を付与することができる。
【００１２】
請求項６による発明は、接触防止板の表面に有色層が形成されていることを特徴とする。
【００１４】
請求項７による発明は、接触防止板の外縁より突出する突部と、固定枠に形成された凹部とが係合することを特徴とする。
外部から衝撃が加えられても、接触防止板の回転や変位が抑制されるので、接触防止板が外れないばかりか、捩れたり変形したりする危険を排除できる。これにより、接触防止板が確実に固定されると共に、接触防止板の耐久性が向上する。
【００１５】
【発明の実施の形態】
図１は本発明の第一実施形態における腕時計内部構成部を示す分解斜視図、図２は断面図である。
内部構成部が、ムーブメント２３、ソーラーセル２４、環状固定枠２５、及び表示板２６を有することは、従来の時計と同じであるが、本発明においては、表示板２６の下面に接触防止板２７が取付けられている。
【００１６】
接触防止板２７は薄い合成樹脂板で一対の突起２８を有する。そして、従来と同様、ムーブメント２３の上に、ソーラーセル２４が載せられ、ムーブメント２３上の突起３０にソーラーセルの凹部３１を係合させて位置決めされる。次に合成樹脂製の固定枠２５の三個のフック３２をソーラーセル２４の凹部３３及び、ムーブメント２３の外方に突出するフランジに切り欠けられた凹部３４に挿入する。フック３２は、ムーブメント２３のフランジにおける凹部３４の内方に引っかかる。更にムーブメント及びソーラーセルの組合せをケースの下胴３５に挿入し、フック３２が下胴３５の肩部３６上に載せられる。
次に、固定枠２５の上面に形成された二個所の凹部３７に接触防止板２７の突起２８を係合させ、更にその上に金属製の表示板２６の突起３８を嵌めて接触防止板２７と表示板２６とを固定枠上に取付ける。尚、金属製の表示板２６には光を透過させる多数の貫通孔４５が形成されている。更に指針４０を取付け、上胴４１、風防４２を夫々パッキン４３、４４を介して取付けて腕時計が構成されている。
【００１７】
この状態では、接触防止板２７は表示板２６と固定枠２５とに挟持されている。
この状態で、接触防止板２７の下面は固定枠２５の凹部３７の下部の厚さだけソーラーセルより離され、之に当たらないように支持されている。
【００１８】
接触防止板２７は少なくともソーラーセル２４の発電に寄与する波長域の光を透過させる光透過性を備える必要がある。また、ソーラーセルより軟質な材料より成ることが好ましい。本実施形態では、透明な合成樹脂、例えばポリカーボネイトより成り、厚さ０．１ｍｍの板材を用いた材料としては、その他、アクリル、ポリアセタール、ＡＢＳ、ポリエチレン、ポリプロピレン、ポリスチレン、ポリエチレンテレフタレートなど合成樹脂を用いることができる。
外部より過大な軸方向の衝撃が加えられると、表示板２６が撓んでソーラーセルに向けて変位する。しかし、表示板は、介在する接触防止板２７に阻まれて、直接ソーラーセルに接触しない。従って、表示板が、ソーラーセルを傷つけることはない。また、介在する接触防止板がソーラーセルに接触しても、ソーラーセルより柔らかいので、ソーラーセルを傷つけることはない。更に、表示板が接触防止板を介してソーラーセルに衝突する衝撃は、接触防止板によって吸収される。従って、表示板の曲がりやソーラーセルの割れが防止される。このように、接触防止板は緩衝材としても機能する。
【００１９】
図３乃至図６は夫々変形例を示す表示板部分の断面図である。図３の例では接触防止板２７は接着剤４６により表示板２６に接着されている。接着剤は貫通孔４５を避けて配置し、接着剤により、ソーラーセルへ到達する外光を妨げないようにする。
この接着剤により、表示板と接触防止板双方が互いに補強される。特に、衝撃により、接触防止板が外れたり、捩じれて塑性変形したりする危険を排除できる。また、固定枠２５への組み込みも容易になる。
【００２０】
図４の例では、接触防止板２７の上面に有色層４７を施している。この有色層は、印刷又は塗装により形成される。有色層は、少なくともソーラーセルの発電に寄与する波長域の光を透過させる光透過性を備えることが必要である。有色層の色調は、表示板の貫通孔から観視でき、有色層の色調を変えれば、表示板の外観に様々な色調を付与できる。
有色層の代わりに、乾式メッキ法により金属薄膜を形成しても良い。金属薄膜を形成することにより、金属感を持たせ、表示板２６との一体感をだすことができる。
【００２１】
図５の例では、接触防止板２７の下面に有色層４８を施している。これにより、有色層が金属製の表示板と擦れて剥離する心配がない。
図６の例では、有色層に換えて、有色の合成樹脂で接触防止板２７ａが接着されている。その接触防止板は、蛍光塗料を塗布して形成しても良い。また、蛍光粉末が含有された合成樹脂より接触防止板を形成しても良い。用いられる蛍光体は、蓄光性、自発光性を問わない。その発光は、表示板の貫通孔より見え、暗所において表示板が読み取りやすくなり、また表示板の外観に面白みのある趣向を付与することができる。
【００２２】
図７は、本発明の第二実施形態を示す斜視図、図８は断面図である。
この実施形態では、金属製の表示板５０に１−１２時の指標を兼ねた貫通孔５１が形成され、接触防止板５２には、表示板の貫通孔５１に相対して穿孔された貫通孔５３が形成されている。
第一実施形態では、接触防止板に入射した外光の一部が、接触防止板によって反射されてしまうため、ソーラーセルに到達する光の量は減少することになるが、本実施形態では、二つの貫通孔５１、５３を通して外光がソーラーセルに到達するので、接触防止板がソーラーセルへの外光の到達を防げない。また、接触防止板にソーラーセルとの干渉縞が表出しても、表示板の貫通孔から見えないので、表示板の外観の悪化を防ぐことができる。
【００２３】
図９は植字を示す斜視図、図１０は植字の固定足を文字板の孔に挿入した状態を示す斜視図、図１１は植字を固定した状態を示す断面図、図１２は第三実施形態の断面図である。
合成樹脂より成る光透過性の文字板５５に金属製の植字５６を固定した場合もソーラーセルを傷付ける問題がある。
即ち、植字５６はその固定足５７を文字板５５の孔５８に挿入し、工具６０を足の二又部に挿入し、図１１に示すように二又部を拡げることにより、表示板に固定される。
【００２４】
このような文字板が合樹樹脂の時計でも、衝撃により、文字板がソーラーセルに衝突すると、文字板が弾性的にへこんで、植字の固定足５７の先端がソーラーセルに当たることがあり、植字の固定足が、ソーラーセルを傷つけることになる。
そこで図１２に示すように文字板５５の下面に接触防止部材６１を接着することにより、ソーラーセルの傷つきを避けることができる。
【００２５】
図１３は植窓を示す斜視図、図１４は第四実施形態を示す断面図である。
ムーブメントの日付や曜日の表示を見るための窓孔に固定された装飾用の金属製枠体６５を有する合成樹脂製の文字板の場合も同様である。図１３に示すように文字板６３には孔６４が形成されており、之に植窓６５を挿入し、圧入や接着などにより孔６４に固定する。よって、文字板に植窓が固定される。このような文字板にも図１４に示すようにその下面に接触防止部材６７を付着することにより、衝撃により植窓の下端がソーラーセルに接触して、ソーラーセルを傷つける危険を排除できる。
【００２６】
接触防止部材には、窓孔に相対して貫通孔６８を穿孔することが好ましい。これは、接触防止部材が外光を反射して、ムーブメントの日にちや曜日が見えにくくなる不具合を避けるためである。
また、接触防止部材の貫通孔は、植窓の外形とほぼ同じ大きさ、あるいは植窓より小さく形成する必要がある。即ち、接触防止部材の貫通孔を大きくしすぎると、その貫通孔を通過して、植窓がソーラーセルに接触するからである。
【００２７】
図１５は、装飾用の金属リングを示す斜視図、図１６は第五実施形態を示す断面図である。
合成樹脂製の文字板７０に環状の溝７１が形成されており、この溝に金属リング７２が埋込まれている。このような金属製の装飾リングを有する文字板の下にも、接触防止部材７３が付着され、ソーラーセルを傷つける危険を避けることができる。
【００２８】
【発明の効果】
本発明によれば、表示板の下面に接触防止板が設けられているので、表示板の変形等が起きても、ソーラーセルを損傷することがない。
【図面の簡単な説明】
【図１】本発明の第一実施形態における腕時計内部構成部を示す分解斜視図である。
【図２】断面図である。
【図３】変形例を示す表示板部分の断面図である。
【図４】変形例を示す表示板部分の断面図である。
【図５】変形例を示す表示板部分の断面図である。
【図６】変形例を示す表示板部分の断面図である。
【図７】本発明の第二実施形態を示す斜視図である。
【図８】断面図である。
【図９】植字を示す斜視図である。
【図１０】植字の固定足を表示板の孔に挿入した状態を示す斜視図である。
【図１１】植字を固定した状態を示す断面図である。
【図１２】第三実施形態の断面図である。
【図１３】植窓を示す斜視図である。
【図１４】第四実施形態を示す断面図である。
【図１５】装飾用の金属リングを示す斜視図である。
【図１６】第五実施形態を示す断面図である。
【図１７】ソーラーセルを有する従来の腕時計の時計内部構成部の分解斜視図である。
【図１８】断面図である。
【符号の説明】
１  下胴
２  上胴
３  ムーブメント
４  ソーラーセル
５  環状固定枠
６  表示板
７  突起
８  凹部
１０  フック
１１、１２  凹部
１３  肩部
１４  凹部
１６  突起
１７  指針
１８  風防
２０、２１  パッキン
２２  孔
２３  ムーブメント
２４  ソーラーセル
２５  環状固定枠
２６  表示板
２７、２７ａ  接触防止板
２８、３０  突起
３１  凹部
３２  フック
３３、３４  凹部
３５  下胴
３６  肩部
３７  凹部
３８  突起
４０  指針
４１  上胴
４２  風防
４３、４４  パッキン
４５  貫通孔
４６  接着剤
４７、４８  有色層
５０  表示板
５１  貫通孔
５２  接触防止板
５３  貫通孔
５５  文字板
５６  植字
５７  固定足
５８  孔
６０  工具
６１  接触防止部材
６３  文字板
６４  孔
６５  植窓
６６  突起
６７  接触防止部材
６８  貫通孔
７０  文字板
７１  溝
７２  金属リング
７３  接触防止部材
【図１】
0004275804.tif 000002
【図２】
0004275804.tif 000003
【図３】
0004275804.tif 000004
【図４】
0004275804.tif 000005
【図５】
0004275804.tif 000006
【図６】
0004275804.tif 000007
【図７】
0004275804.tif 000008
【図８】
0004275804.tif 000009
【図９】
0004275804.tif 000010
【図１０】
0004275804.tif 000011
【図１１】
0004275804.tif 000012
【図１２】
0004275804.tif 000013
【図１３】
0004275804.tif 000014
【図１４】
0004275804.tif 000015
【図１５】
0004275804.tif 000016
【図１６】
0004275804.tif 000017
【図１７】
0004275804.tif 000018
【図１８】
0004275804.tif 000019